【事件の表示】
　特許第２８１５３４６号「医療計画支援システム」の請求項１乃至１３に係る特許に対する特許異議の申立てについて、次のとおり決定する。
【結　論】
　特許第２８１５３４６号の請求項１乃至１３に係る特許を維持する。
【理　由】
１．手続の経緯
　本件特許異議の申立てに係る特許第２８１５３４６号は、平成９年１月３１日に出願され、平成１０年８月１４日に設定登録され、同年１０月２７日に特許公報が発行されたものである。
　その後、平成１１年４月２７日に三浦俊郎より、請求項１乃至１３に係る特許に対して特許異議の申立てがなされたものである。
　
２．本件発明
　本件特許異議の申立てがなされた特許に係る発明は、特許明細書及び図面の記載からみて、その特許請求の範囲の請求項１乃至１３に記載された次のとおりのものである（以下「本件発明１」乃至「本件発明１３」という。）。
【請求項１】　複数種類の既に実行された医療行為及び将来実行される医療行為のうちの一方を所定の分類毎に且つ各医療行為の実行にかかる少なくとも日付け毎に並べた表のフレームを定義するフレーム定義データを夫々格納する複数のフレーム定義ファイル手段と、
　該複数のフレーム定義ファイル手段の夫々に対して設けられており、前記表において前記フレームにより区切られてなる複数のセルの夫々について、各セルの行及び列を示す場所データ、予め前記複数種類の医療行為に対し夫々割り当てられた複数の医療カテゴリコードのうち前記各セルに対応する医療カテゴリコード、及び前記各セル内に表示される文章を示すテキストデータのうち少なくとも前記場所データを含むセル定義データを夫々格納する複数のセル定義ファイル手段と、
　前記複数の医療カテゴリコードに対応する医療行為の名称を夫々示す複数の医療行為名称データを各医療カテゴリコードに対応付けて格納するマスターファイル手段と、
　前記複数のフレーム定義ファイル手段のうちから任意の一つを選択するフレーム選択手段と、
　該選択されたフレーム定義ファイル手段に格納されたフレーム定義データに基づいて前記フレームを表示するためのフレーム表示データを生成すると共に、前記選択されたフレーム定義ファイル手段に対して設けられた複数のセル定義ファイル手段に格納されたセル定義データ中の場所データに基づいて各セル定義ファイル手段に対応する各セルを特定し、該格納されたセル定義データ中の医療カテゴリコードを前記マスターファイル手段を参照して夫々対応する医療行為名称データに展開し、該展開された医療行為名称データ及び前記テキストデータに基づいて前記特定された各セル内に表示すべきセル内容表示データを生成する表示データ生成手段と、
　該生成されたフレーム表示データ及びセル内容表示データに基づいて前記表を表示する表示手段と、
　該表示された表を構成する複数のセルのうち任意の一つを選択可能なセル選択手段と、
　該セル選択手段により選択されたセルについて、前記セル内容表示データを前記表示手段上で新規入力、追加、変更又は削除可能な入力手段と、
　該入力手段により前記セル内容表示データが新規入力、追加、変更又は削除されると、前記選択されたセルの場所データに基づいて特定されるセル定義ファイル手段を、前記新規入力、追加、変更又は削除されたセル内容表示データに対応して更新する更新手段とを備えており、
　前記複数のフレーム定義ファイルには夫々、固有のフレーム名称を示すフレーム名称データが付加されており、
　前記フレーム選択手段は、前記フレーム名称データを検索することにより、所望のフレーム名称のフレーム定義ファイル手段を選択し、
　前記入力手段は、前記フレーム選択手段により選択されたフレーム定義ファイル手段に対し、複数の患者のうち任意の一人を示す患者識別データを付加可能に構成されており、
　前記フレーム選択手段は、前記患者識別データを検索することにより、所望の患者のフレーム定義ファイル手段を選択し、
　前記入力手段は、前記フレーム選択手段により選択されたフレーム定義ファイル手段について、前記フレーム定義データを変更可能に構成されており、
　前記医療カテゴリコードは医療保険請求可能な項目を示す電算コードを含み、
　前記入力手段により前記医療カテゴリコードの少なくとも一部として新規入力、追加、変更又は削除される電算コードに基づいて前記各セル毎の医療保険点数を計算して医療保険点数データを出力する計算手段を更に備え、
　前記セル定義ファイル手段は、前記医療保険点数データを更に含むセル定義データを格納し、
　前記表示データ生成手段は、前記展開された医療行為名称データ及び前記テキストデータに加えて前記医療保険点数データに基づいて前記セル内容表示データを生成することを特徴とする医療計画支援システム。
【請求項２】　前記入力手段は、前記表示手段により表示されたフレーム選択メニュー上で複数の前記フレーム名称のうち一つを指定可能に構成されており、
　前記フレーム選択手段は、前記入力手段により指定されたフレーム名称に対応するフレーム定義ファイルを選択することを特徴とする請求項１に記載の医療計画支援システム。
【請求項３】　前記テキストデータの少なくとも一部は、医師又は看護婦による記録として前記入力手段を介してテキスト入力され、当該入力されたテキストデータの少なくとも一部は、入力された時刻を示すタイムスタンプが打たれた状態で前記セル定義ファイルに格納されることを特徴とする請求項１又は２に記載の医療計画支援システム。
【請求項４】　前記表示データ生成手段は、前記セル選択手段により前記セルが選択されると、前記セル内容表示データの、新規入力、追加及び変更候補を前記表示手段にメニュー表示させるメニュー表示データを生成し、
　前記入力手段は、該メニュー表示データに基づいて新規入力、追加又は変更可能であることを特徴とする請求項１から３のいずれか一項に記載の医療計画支援システム。
【請求項５】　前記フレーム定義ファイル及び前記セル定義ファイルのうち少なくとも一方の送受信を外部装置に対して行う送受信手段を更に備えたことを特徴とする請求項１から４のいずれか一項に記載の医療計画支援システム。
【請求項６】　前記入力手段は、前記表示された表の中の一つ以上のセルを表示対象として指定可能に構成されており、
　前記表示データ生成手段は、前記入力手段により表示対象として指定されたセルにかかるセル定義データを前記表とは異なるフォーマットにより表示するための表示データを生成することを特徴とする請求項１から５に記載の医療計画支援システム。
【請求項７】　前記表示データ生成手段は、前記表の各セルを埋める表示データの少なくとも一部をフォントから構成すると共に、該フォントのサイズを前記入力手段により変更されたフレーム定義データの定義するフレームに応じて定まる各セルのサイズに見合ったサイズとするように構成されたことを特徴とする請求項１から６のいずれか一項に記載の医療計画支援システム。
【請求項８】　日をカウントするカウント手段を更に備えており、
　前記表示データ生成手段は該カウントされた日に基づいて本日と一致する日にかかる表示部分が他の表示部分と異なる方法で表示されるように前記セル内容表示データ及びフレーム表示データの少なくとも一方を生成することを特徴とする請求項１から７のいずれか一項に記載の医療計画支援システム。
【請求項９】　前記医療カテゴリコードには、前記医療カテゴリコー　ドが示す医療行為が既に実行されたか否かを示す結果フラグが付けられており、
　前記表示データ生成手段は、前記結果フラグに基づいて既に実行された医療行為名称データに対応する表示部分とまだ実行されていない医療行為名称データに対応する表示部分とが異なる方法で表示されるように前記セル内容表示データ及びフレーム表示データの少なくとも一方を生成することを特徴とする請求項１から８のいずれか一項に記載の医療計画支援システム。
【請求項１０】　少なくとも一部の医療カテゴリコードには時刻データが付加されており、
　前記表示データ生成手段は、前記少なくとも一部の医療カテゴリコードについては、前記表の各セルの中で更に各医療行為名称データを時刻毎に並べて表示するためのセル内容表示データを、前記時刻データに基づいて生成することを特徴とする請求項１から９のいずれか一項に記載の医療計画支援システム。
【請求項１１】　前記セル定義データは、夫々の前記医療カテゴリコードの示す医療行為と関連する詳細医療データを更に含み、
　前記入力手段は、前記表示手段により表として表示された各医療行為名称データのうち所望の医療行為名称データを指定可能に構成されており、
　前記表示データ生成手段は、前記入力手段により指定された医療行為名称データに関連する詳細医療データを前記表とは異なる所定のフォーマットで表示するための表示データを、前記詳細医療データに基づいて更に生成し、
　前記表示手段は、該生成された表示データを表示することを特徴とする請求項１から１０のいずれか一項に記載の医療計画支援システム。
【請求項１２】　前記詳細医療データは、複数の日付けについて夫々記録された所定の医療カテゴリコードの示す医療行為に関連する数値データを含み、
　前記表示データ生成手段は、表示画像の一部分に前記表を表示すると共に前記数値データを前記表示画像の他の部分に前記表の日付けの並びに対応した軸を持つグラフとして表示するための表示データを前記数値データに基づいて更に生成し、
　前記表示手段は、該生成された表示データを表示することを特徴とする請求項１１に記載の医療計画支援システム。
【請求項１３】　少なくとも一部の医療カテゴリコードには時刻データが付加されており、
　前記表示データ生成手段は、前記少なくとも一部の医療カテゴリコードに対しては、（１）前記表の各枠の中で更に前記医療行為名称データを時刻毎に並べた第１フォーマットで画像出力するための出力データを、前記時刻データに基づいて生成するか（２）前記日付け毎に並べる代わりに、前記医療行為名称データを所定時間単位にまとめて該所定時間毎に並べた表形式の第２フォーマットで画像出力するための出力データを、前記時刻データに基づいて生成するか、又は（３）前記日付け毎に並べる代わりに、前記医療行為名称データを連続した複数日単位にまとめて該複数日毎に並べた表形式の第３フォーマットで画像出力するための出力データを生成するように構成されており、
　前記入力手段は、前記表示手段により表示されたフォーマット選択メニュー上で前記第１、第２及び第３フォーマットのうち一つを前記表示データ生成手段に対して指定可能に構成されていることを特徴とする請求項１から１２のいずれか一項に記載の医療計画支援システム。
　
３．申立ての理由
　特許異議申立人は、甲第１号証乃至甲第８号証及び参考資料１、２を提出し、本件特許の特徴は、甲第１号証〜甲第８号証に実質的に開示されており、甲第１号証〜甲第８号証により、本件特許の構成・作用・効果を実現することが当業者には可能であり、本件特許は当業者がこれらの証拠によって容易に想到しえた程度のものであるから、特許法第２９条第２項により特許を受けることができないと主張する。
【証拠方法】
(１)甲第１号証：
　亀田俊忠　医療情報システムの有用性とその効果　1)電子カルテシステム　「Progress in Medicine Vol.4」第14〜19頁(平成８年４月１０日)　
(２)甲第２号証：特開平６−２３１１５０号公報
(３)甲第３号証：
　山口治紀　総合医療情報システムによる病院の経営革新
　「ＩＥレビュー196号」第18〜24頁(平成８年８月１日)
(４)甲第４号証：
　大橋克洋　電子カルテによる日常診療
　「医学の歩み Vol.169 No.12」第1187〜1190頁(平成６年６月１８日)
(５)甲第５号証：特開平２−２２７６９号公報
(６)甲第６号証：特開平６−２１８０１１号公報
(７)甲第７号証：特開平６−８３８８０号公報
(８)甲第８号証：特開平７−２８２１２９号公報
(９)参考資料１：平成９年１２月１日提出の意見書
(10)参考資料２：
　Windowsパワーテキスト　Microsoft Access 2.0(平成７年５月１８日)
　
４．証拠方法に記載された発明
　甲第１号証には、表１として「冠状動脈バイパス術(ＣＡＢＧ) Care Map」(甲第１号証第18頁)が記載され、表１の説明として「Navigation Care Mapとは、症例別に標準化した診療プロセスをモデル化し、それを統合医療情報システム上で活用することにより診療プロセスの標準化を図り、医療の向上を目指すシステムである。」(同第19頁左欄第３〜６行）ことが記載されている。
　甲第２号証には、「入院料のカレンダ管理方法」の発明が記載されており、医療の点数を求めることに関し、「この入院料の明細の剤について、医療の点数を求めるとき、行為マスタ(４)を参照する必要がある。本発明においては、図示されていない点数マスタに対して、後述の自動算定コード(３)を新設し、上記入院料のコメントコード(１)で管理している入院料の各剤のコード、例えば、室料、看護料、給食料等の行為の意味により、一意に、上記自動算定コード(３)を生成し、行為マスタ(４)上の各行為に対する点数が算出できるようにすると共に、各行為に自動算定コード(３)と、上記会計コード(５)上のユーザ独自の行為コード(ユーザコード)との対応がとれるようにする。図２(ｂ)の例で説明すると、ユーザが使用するコメントコード「90001」の行為は「食無し」を意味し、本医療事務専用システムが使用する自動算定コード「Ｅ9001」と対応し、点数は「0」(コメントコードであるから、点数算定の対象にはならない）であり、上記コメントコード「食無し」(1)が指示する室料、看護料、給食料(上記入院料剤作成テーブル(２)参照)に対して、それぞれ、自動算定コード「Ｅ9100」「Ｅ20000」「Ｅ30001」が対応し、それぞれの医療点数は「100」「200」「300」であることが認識でき、認識された点数に基づいて、上記レセプトが生成される。」(第２号証【0038】、【0039】)ことが、図面とともに記載されている。（なお、甲第２号証原文においては、「(１)乃至(５)」は丸数字１乃至５で記載されている。）
　甲第３号証には、「疾病別に整備された標準ケアマップを基に、個々の患者の条件差を考慮して、患者別の診療計画ケアマップを立案することができる。」(甲第３号証第22頁右欄第10〜13行)、「図８のケアマップがＣＲＴ上に表示され、画面上の項目をクリックするとより詳細な計画と実績の情報が表示されるシステムである。」(同第23頁左欄第11〜14行)ことが、図面とともに記載されている。
　甲第４号証には、「電子カルテによる日常診療」として、「“治療欄”に記入された内容をワンタッチで自動解析して診療費を算出、結果は最終行に挿入される」(甲第４号証第1188頁右欄第５〜７行)と記載され、図１に診療費の計算結果が記載された電子カルテが記載されている。
　甲第５号証には、「帳票出力制御方式」の発明に関し、報告書作成必要ビットおよび結果データ登録完了ビットをセットし、必要な処理に対応してフラグを設けることが記載されている。
　甲第６号証には、「患者のためのケアの統合計画を発生しかつ実施する方法」の発明に関し、セル内で時刻順に医療情報を並べて表示することが記載されている。
　甲第７号証には、「病院用診断支援装置」の発明に関し、所望の検査項目における経緯を、グラフ化して表示することが記載されている。
　甲第８号証には、「スケジュール管理システム」に関する発明が記載されている。
　又、参考資料１には、審査時の拒絶理由について、出願人の引用例に対する見解が記載されている。
　参考資料２には、「Microsoft Access 2.0」について、データをデータシート表示し、リレーショナル処理を行うことが記載されている。
　
５．対比・判断
　本件発明１と甲第１号証に記載された発明を対比する。
　本件発明１は、特許請求の範囲の請求項１に記載された「複数種類の医療行為に対し夫々割り当てられた複数の医療カテゴリコードのうち前記各セルに対応する医療カテゴリコードを格納する複数のセル定義ファイル手段」、「複数の医療カテゴリコードに対応する医療行為の名称を夫々示す複数の医療行為名称データを各医療カテゴリコードに対応付けて格納するマスターファイル手段」、「医療行為名称データに基づいて前記特定された各セル内に表示すべきセル内容表示データを生成する表示データ生成手段」、「医療カテゴリコードは医療保険請求可能な項目を示す電算コードを含み」、「医療カテゴリコードの電算コードに基づいて前記各セル毎の医療保険点数を計算して医療保険点数データを出力する計算手段」、「セル定義ファイル手段は、前記医療保険点数データを更に含むセル定義データを格納し」、「前記表示データ生成手段は、前記展開された医療行為名称データに加えて前記医療保険点数データに基づいて前記セル内容表示データを生成する」の構成により、医療カテゴリコードの電算コードに基づいて前記各セル毎の医療保険点数を計算して医療保険点数データを出力し、表示データ生成手段で生成されるセル内容表示データには、医療行為名称データに加えて、セル毎に計算された医療保険点数データ表示データも含まれているものである（なお、テキストデータが含まれていることは言うまでもない。）。
　これに対して、甲第１号証記載の表には、医療行為名称がテキストデータとともに記載されているだけであって、医療保険点数は記載されておらず、又、医療保険点数をセル内に表示することを示唆する記載はないから、本件発明１と甲第１号証に記載された発明とは、少なくとも、本件発明１が、各セルに医療保険点数を表示できるように、セル内容表示データには、電算コードに基づいてセル毎に計算された医療保険点数データ表示データも含まれているのに対して、甲第１号証に記載された発明は、医療保険点数表示については何ら考慮されていない点で、相違するものと認める。
　この点に関し、異議申立人は、「保険点数データを所定の分類毎でかつ日付毎の表として表示することは甲第２号証で公知であり、」と主張する（異議申立書第５頁右欄第１〜４行）ので、甲第２号証について検討する。
　甲第２号証において、「保健医療点数」に関連する記載をみると、【0038】、【0039】及び図２(ｂ)に「点数」として記載されているので、これについて検討する。
　図２(ｂ)において、行為マスタのユーザコード92000(看護料)としての点数は「200」となっているが、この「200」は、ユーザコード92000から、看護料として一律に決定されるものではなく、図３に記載された、患者保険コード部、病棟区分コード部、基準看護コード部、看護期間コード部の、各種テーブルに基づいて生成される自動算定コード(Ｅ20000)から、図示されていない「点数マスタ」を参照して決定されるものである。つまり、同じ看護料の範疇であっても、患者によって看護の内容が異なるため、図３記載のテーブルにより自動算定コードを作成し、点数マスタを参照して点数が決定されものである。又、その点数は、従前と同様にレセプト生成のために使用されるものであって、これを会計カードのカレンダ部に表示することについて甲第２号証には記載されておらず、それを示唆する記載もない。即ち、甲第２号証に記載される点数は、本件発明１に記載された医療保険点数表示データとは、その数字を導き出すための手段が異なり、まして、各セル毎に表示できるものではないから、異議申立人の主張は認められない。
　又、異議申立人は、「甲第２号証図１には医療保険点数を計算するための剤の回数を複数項目に分け、かつ複数日に渡って表示することが記載されている。いわゆる医療保険点数データをカレンダ表示している。」と主張する（異議申立書第23頁第４〜６行）が、甲第２号証図１に記載されたカレンダ部の数字は、甲第２号証【0027】の記載によれば、行為データ部に記録されるコメントコード“90001”が指示する入院料が、何日に算定されたかを記録する数字“１”であって、カレンダ部のセルにおいて医療保険点数データを計算しておらず、又、表示もしていないから、請求人の主張は認められない。
　さらに、他の甲号各証を参照しても、医療保険点数について、電算コードに基づいて各セル毎に医療保険点数を計算し、出力された医療保険点数データを各セルに表示できるようにした点は記載も示唆もなく、又、この相違点によって本件発明１は、特許明細書記載の本件発明１特有の効果を奏するものであるから、本件発明１は、甲第１乃至８号証及び参考資料１、２に基づいて、当業者が容易に発明をすることができたものとは認められない。
　又、本件発明２乃至１３は、本件発明１を引用するものであるから、本件発明１が、甲第１乃至８号証及び参考資料１、２に基づいて、当業者が容易に発明をすることができたものとすることができない以上、本件発明２乃至１３も、甲第１乃至８号証及び参考資料１、２に基づいて、当業者が容易に発明をすることができたものとは認められない。
　
６．まとめ
　以上のとおりであるから、特許異議申立人の主張する理由及び証拠方法によっては、本件発明１乃至本件発明１３に係る特許が、特許法第２９条第２項の規定に違反して特許されたものであるとすることはできない。
　又、他に本件発明に係る特許を取り消すべき理由は見いだせない。
　よって、結論のとおり決定する。
【異議決定日】
平成１２年２月２９日（２０００．２．２９）